(57)【要約】【課題】軽量かつ低コストで効率的にこもり音性能を向上する局所マスダンパを提供する。【解決手段】ボディフロアにおける振動騒音を抑制する。板材を折曲して概略凹凸状に形成してなる折曲部１０ａを有し、ボディフロアの振動発生部位に固定されることで、振動発生部位の振動特性を変化させる。折曲部１０ａは山形に折曲形成され、その両側にフランジ状の延出部１０ｂを有する。局所マスダンパ１０は、延出部１０ｂがボディフロアに溶接されることにより固定される。【選択図】　　　　図２
2004142682.tif 000002
【特許請求の範囲】
【請求項１】
板材を折曲して概略凹凸状に形成してなる折曲部と、その両側から延設するフランジ状の延出部と、を備えることを特徴とする、局所マスダンパ。
【請求項２】
前記折曲部が山形に折曲形成されていることを特徴とする、請求項１に記載の局所マスダンパ。
【請求項３】
前記山形が複数並設するように、前記折曲部が構成されることを特徴とする、請求項２に記載の局所マスダンパ。
【請求項４】
板材を折曲して概略凹凸状に形成してなる折曲部と、その両側から延設するフランジ状の延出部とを備える局所マスダンパが、車両のボディフロアの振動発生部位に取り付けられて、
上記振動発生部位の振動特性が変わることを特徴とする、局所マスダンパを備えたボディフロア構造。
【発明の詳細な説明】
【０００１】
【発明の属する技術分野】
本発明は乗用車等の車両において、特にボディフロアで発生する振動騒音を抑制するためのダンパ及びそれを備えたボディフロア構造に関する。
【０００２】
【従来の技術】
乗用車等の車両の中高速での走行時には、１００〜２００Ｈｚのこもり音が発生することがある。さらに、この振動騒音現象では、ボディのフロアパネルの一部分が局所的に振動して、それが騒音になり易い。この対策としては、振動レベルが高い部位の振動特性を変化させることが効果的である。
【０００３】
従来では、例えば音が発生するフロアパネルにリインフォースを追加することで、フロアパネルの振動を抑制し、こもり音の発生を防止していた。すなわち、図５に示すようなフロアパネル１には、局所的に振動レベルが高い部位Ａが存在し、この部分を中心として音が発生する。そこで、従来では図６に示されるように、かかる振動発生部位Ａにリインフォース１００を取り付けて、フロアパネル１の振動を抑制するようにしていた。
【０００４】
また、自動車のエンジン等の騒音対策として、エンジンの下側に配置される遮音パネル（アンダーカバー）に対して略台形状の吸音板を取り付けて、騒音を吸収する技術が知られている（特許文献１参照）。
これと同様に、自動車のエンジン等の振動に基づくこもり音対策として、フロントフロアパネルを二つの領域に分け、これら二つの領域の固有振動数をそれぞれ異なるようにするために、即ち剛性，断面二次モーメント或いは質量を互いに異なるようにするために、それらの領域の一方に（イ）質量部材，（ロ）厚みの異なるアスファルトシート，（ハ）フロントフロアアンダーリインフォースを取り付けて、音圧レベルを低下させる技術も知られている（特許文献２参照）。
【０００５】
【特許文献１】
特開２００２−２９３３０号公報（図２）
【特許文献２】
実開昭５７−１５９８７４号公報（図２乃至５）
【０００６】
【発明が解決しようとする課題】
しかしながら、上述した例のリインフォース１００の具体的数値としては、その板厚は０．６ｍｍで、質量が１６０ｇである。このため、従来のリインフォース１００を追加する騒音改善対策の手法では、重量がありコストが高くならざるを得ないものであった。
【０００７】
本発明は以上の点に鑑み、軽量でかつ低コストで効率的にこもり音性能を向上する局所マスダンパ及びそれを備えたボディフロア構造を提供することを目的としている。
【０００８】
【課題を解決するための手段】
本発明の局所マスダンパは、板材を折曲して概略凹凸状に形成してなる折曲部とその両側から延設するフランジ状の延出部とを備えることを特徴とする。
【０００９】
前記折曲部は山形に折曲形成され、好ましくは、前記山形が複数並設するように、前記折曲部が構成される。
【００１０】
また、本発明の局所マスダンパを備えたボディフロア構造は、板材を折曲して概略凹凸状に形成してなる折曲部と、その両側から延設するフランジ状の延出部とを備える局所マスダンパが、車両のボディフロアの振動発生部位に取り付けられていることを特徴とするものである。
【００１１】
本発明によれば、概略凹凸状に形成してなる局所マスダンパが、ボディフロアの振動発生部位に固定されて、この振動発生部位の振動特性を変化させ、こもり音を抑制する。
【００１２】
【発明の実施の形態】
以下、図面に基き、従来例と実質的に同一または対応する部材には同一符号を用いて、本発明による局所マスダンパの好適な実施の形態を説明する。
図１は本発明の実施形態の概略構成を示している。この例では、フロアパネル１において、フロントフロアに局所的な振動発生部位Ａが存在するものとする。このようなフロアパネル１の振動発生部位Ａに対して、局所マスダンパ１０が取り付けられて、振動発生部位Ａの振動特性を変えるようになっている。
【００１３】
この局所マスダンパ１０は、鉄板等の板材を折り曲げ、例えばプレス加工して製造されるものであり、図２に示すように概略凹凸状に形成してなる折曲部１０ａとその両側から延設するフランジ状の延出部１０ｂとを備えている。この例では、折曲部１０ａは二つの山１０ａ１，１０ａ１が並設されるように折曲形成されている。
【００１４】
この局所マスダンパ１０は、フロントフロアの振動発生部位Ａに局所的に集中して発生する振動を小スペース内で広く分散させるために、折曲形成して面積を広くしている。
【００１５】
ここで、局所マスダンパ１０の具体的数値例としては、図３（ａ）及び（ｂ）に示されるように、Ｗ（幅）＝４０ｍｍ、Ｌ（長さ）＝７０ｍｍ、Ｈ（高さ）＝１４ｍｍに寸法設定される。また、局所マスダンパ１０は、例えば、板厚２．０ｍｍで、質量８０ｇとして構成されて、こもり音発生防止可能な質量を備えたダンパ部材である。
【００１６】
このように構成される局所マスダンパ１０は、延出部１０ｂがフロアパネル１に溶接により取り付けられる。延出部１０ｂのフロアパネル１に対する取り付けは、上面でも下面でも良い。なお、この実施形態では図３に示したように例えば３点でフロアパネル１に溶接位置１２でスポット溶接される。
【００１７】
上述の如く構成される本発明の局所マスダンパ１０の作用について以下説明する。
図１に示すように、本発明の局所マスダンパ１０が、最適位置に、即ちフロアパネル１の振動発生部位Ａに設定されることにより、フロアパネル１の振動音が生じない周波数に変更される。即ち、本局所ダンパ１０を施す前には振動発生部位Ａに振動が集中して発生するが、本局所ダンパ１０を施すことで振動発生部位Ａに発生し得る振動が本局所ダンパ１０に分散して振動する。これにより、振動発生部位Ａに発生する振動の音圧レベルが低くなる。
【００１８】
ここで、図４は、本発明の局所マスダンパ１０による対策を施す前後で、フロアパネル１の振動発生部位Ａの音圧レベルを測定した結果を示している。図から明かなように、局所マスダンパ１０を施すことにより、振動発生部位Ａの音圧レベルは、騒音が生じない音圧レベルまで低減する。
【００１９】
このように本発明の局所マスダンパ１０によれば、フロアパネル１の振動特性をこもり音に対して有利な振動モードに変化させることで、こもり音を有効かつ効果的に抑制することができる。
【００２０】
また、本発明の局所マスダンパ１０は、寸法や形態が極めてコンパクトに構成されており、取扱性がよく、取付固定が容易である。したがって、こもり音対策を施すのに手間がかからず、軽量かつ低コストで効果的に振動制御できる。
【００２１】
以上、本発明を実施形態とともに説明したが、本発明はこれらの実施形態にのみ限定されるものではなく、本発明の範囲内で変更等が可能である。
【００２２】
たとえば、折曲部１０ａの具体的な寸法や形態は、図示例の場合の他に適宜変更可能である。折曲部１０ａを鍵形の凹凸状に形成してもよく、凹凸の数量を適宜増減することもできる。
【００２３】
また、上記説明では、局所マスダンパ１０をフロアパネル１に取り付けて使用する場合を説明したが、本発明の実施形態に係る局所マスダンパ１０は、その他のルーフパネル等に取り付けて、上記と同様に、こもり音性能を大幅に向上できる。
【００２４】
【発明の効果】
以上説明したように本発明によれば、小スペース設計で軽量かつ低コストでありながら、こもり音性能を大幅に向上できる。また、振動特性の制御を容易かつ適正に行なうことができる上、たとえば衝突時のキャビン変形に影響を与えることがない等の利点を有する。
【図面の簡単な説明】
【図１】本発明の実施形態に係る局所マスダンパーをフロアパネルに適用した概略構成例を示す平面図である。
【図２】本発明の実施形態に係る局所マスダンパーの構成例を示す斜視図である。
【図３】本発明の実施形態に係る局所マスダンパーの具体的数値等を示し、（ａ）は平面図、（ｂ）はそのＢ−Ｂ線断面図である。
【図４】本発明の実施形態に係る局所マスダンパーの対策前後における効果を表す図である。
【図５】従来例に係るフロアパネルまわりを示す斜視図である。
【図６】従来のこもり音対策を示す平面図である。
【符号の説明】
１　　　　フロアパネル
１０　　　局所マスダンパ
１０ａ　　折曲部
１０ｂ　　延出部
１２　　　スポット溶接位置
【図１】
2004142682.tif 000003
【図２】
2004142682.tif 000004
【図３】
2004142682.tif 000005
【図４】
2004142682.tif 000006
【図５】
2004142682.tif 000007
【図６】
2004142682.tif 000008